(57)【要約】【課題】光源装置の姿勢に応じて発光部を部分的に冷却することができ、かつ、小型化が可能な光源装置を提供する。【解決手段】光源装置２は、発光部１３と、開口１６を有し発光部を取り囲むリフレクタ１２と、リフレクタ１２の外側に位置する流入部１８ａと、流入部１８ａから流入した冷却風Ｆ１を、開口１６を通して発光部１３のそれぞれ異なる部位にそれぞれ誘導する複数の流出部２０ａ，２０ｂと、を有する少なくとも１つの流路１７ａと、自重で移動し、複数の流出部２０ａ，２０ｂのうち所定の流出部を、冷却風Ｆ１が流出する冷却風流出部とする選択部材２１ａと、を備え、少なくとも１つの流路１７ａは、開口１６の周縁の一部に設けられている。【選択図】図１６
2016109801.tif 000002
【特許請求の範囲】
【請求項１】
発光部と、
開口を有し、前記発光部を取り囲むリフレクタと、
前記リフレクタの外側に位置する流入部と、該流入部から流入した冷却風を、前記開口を通して前記発光部のそれぞれ異なる部位にそれぞれ誘導する複数の流出部と、を有する少なくとも１つの流路と、
自重で移動し、前記複数の流出部のうち所定の流出部を、冷却風が流出する冷却風流出部とする選択部材と、を備え、
前記少なくとも１つの流路は、前記開口の周縁の一部に設けられている、光源装置。
【請求項２】
前記選択部材は、前記光源装置が第１の姿勢にあるときに、前記流入部から前記複数の流出部のうち第１の流出部へ向かう流れを遮り、前記流入部から前記複数の流出部のうち第２の流出部へ冷却風を流通させる、請求項１に記載の光源装置。
【請求項３】
前記選択部材は、前記光源装置が第２の姿勢にあるときに、前記流入部から前記第２の流出部へ向かう流れを遮り、前記流入部から前記第１の流出部へ冷却風を流通させる、請求項２に記載の光源装置。
【請求項４】
前記選択部材は、前記光源装置が第３の姿勢にあるときに、前記流入部から前記第１の流出部へ向かう流れと、前記流入部から前記第２の流出部へ向かう流れと、の両方を遮る、請求項３に記載の光源装置。
【請求項５】
前記少なくとも１つの流路の壁には長穴が形成されており、
前記選択部材は、前記少なくとも１つの流路を塞ぐ風壁羽と、前記風壁羽から延びる風壁ウェイトと、前記長穴に通された突起部と、を有し、前記突起部は、前記選択部材の重心よりも風壁羽に近いところに位置している、請求項１ないし４のいずれか１項に記載の光源装置。
【請求項６】
前記複数の流出部が、前記開口の周縁に沿って位置している、請求項１ないし５のいずれか１項に記載の光源装置。
【請求項７】
前記リフレクタの外側の気体を冷却風として前記流入部に送る少なくとも１つの送風機をさらに含む、請求項１ないし６のいずれか１項に記載の光源装置。
【請求項８】
複数の前記流路と、それぞれの前記流路の前記流入部に接続された複数の前記送風機と、を備える、請求項７に記載の光源装置。
【請求項９】
請求項１ないし８のいずれか１項に記載の光源装置と、
前記発光部から発せられた光を投写する投写レンズと、を備える投写型表示装置。
【請求項１０】
開口を有するリフレクタで発光部を取り囲むことと、
前記リフレクタの外側に位置する流入部と、該流入部から流入した冷却風を、前記開口を通して前記発光部のそれぞれ異なる部位にそれぞれ誘導する複数の流出部と、を有する少なくとも１つの流路を、前記開口の周縁の一部に設けることと、
自重で移動し、前記複数の流出部のうち所定の流出部を、冷却風が流出する冷却風流出部とする選択部材を設けることと、
前記少なくとも１つの流路に冷却風を送ることと、を含む、冷却方法。
【発明の詳細な説明】
【技術分野】
【０００１】
本発明は、発光部を備える光源装置、当該光源装置を備える投写型表示装置、及び発光部を冷却する方法に関する。
【背景技術】
【０００２】
高圧水銀ランプ、メタルハライドランプ、キセノンランプなどの放電ランプを光源として備える投写型表示装置が知られている。これら放電ランプは、発光部内でアーク放電が生じることによって光を放出する。
放電ランプでは、適切な発光状態を維持するために、発光部全体の温度をなるべく均一に保つことが求められる。なぜなら、発光部の温度が所定温度よりも高くなると発光部に白濁が発生し、放電ランプの寿命が短くなるためである。また、発光部の温度が所定温度よりも低くなると、輝度低下やフリッカが発生する。発光部の温度低下は発光部を黒色に変色させ、放電ランプの短命化をもたらすこともある。
ところで、アーク放電が生じると、アーク（電弧）はそのときの重力方向と逆方向に延びる。そのため、発光部の重力方向上部の温度が発光部の同方向下部の温度よりも高くなる。このような理由から、光源装置の姿勢に応じて、発光部の重力方向上部を重点的に冷却することができる光源装置が提案されている（特許文献１）。
【０００３】
特許文献１に開示される光源装置は、リフレクタと、リフレクタを保持するホルダと、ホルダに重ねられたダクト部材と、を備える。リフレクタには開口が形成されており、光源から発せられた光は当該開口から出射される。ダクト部材は、ホルダとともに、リフレクタの開口縁に沿って環状に延びる流路を画定している。ホルダは、流路からリフレクタの開口を通って発光部のそれぞれ異なる部位に冷却風をそれぞれ誘導する複数の流出部を形成している。
また、光源装置は、流路に冷却風を送る送風機と、複数の流出部のうち所定の流出部を、冷却風が流出する冷却風流出部とする選択部材と、をさらに備える。選択部材は自重で移動可能に設けられており、光源装置の姿勢に応じて、冷却風流出部を切り替える。発光部の重力方向上部に冷却風を誘導する流出部が冷却風流出部として選択されるように選択部材を設けることにより、発光部の重力方向上部を重点的に冷却することができる。
【先行技術文献】
【特許文献】
【０００４】
【特許文献１】国際公開第２０１２／１２４０５３号
【発明の概要】
【発明が解決しようとする課題】
【０００５】
しかしながら、特許文献１に開示される光源装置では、流路は、リフレクタの開口縁に沿って環状に延びている。そのため、流路用の空間がリフレクタの開口の周縁全体に必要とされ、光源装置の小型化が困難である。
本発明の目的は、光源装置の姿勢に応じて発光部を部分的に冷却することができ、かつ、小型化が可能な光源装置、投写型表示装置、および発光部を冷却する方法を提供することにある。
【課題を解決するための手段】
【０００６】
本発明の光源装置は、発光部と、開口を有し、発光部を取り囲むリフレクタと、リフレクタの外側に位置する流入部と、該流入部から流入した冷却風を、開口を通して発光部のそれぞれ異なる部位にそれぞれ誘導する複数の流出部と、を有する少なくとも１つの流路と、自重で移動し、複数の流出部のうち所定の流出部を、冷却風が流出する冷却風流出部とする選択部材と、を備え、少なくとも１つの流路は、開口の周縁の一部に設けられている。
また、本発明の投写型表示装置は、前述の光源装置と、発光部から発せられた光を投写する投写レンズと、を備える。
また、本発明の冷却方法は、開口を有するリフレクタで発光部を取り囲むことと、リフレクタの外側に位置する流入部と、該流入部から流入した冷却風を、開口を通して発光部のそれぞれ異なる部位にそれぞれ誘導する複数の流出部と、を有する少なくとも１つの流路を、開口の周縁の一部に設けることと、自重で移動し、複数の流出部のうち所定の流出部を、冷却風が流出する冷却風流出部とする選択部材を設けることと、少なくとも１つの流路に冷却風を送ることと、を含む。
【発明の効果】
【０００７】
本発明によれば、光源装置の姿勢に応じて発光部を部分的に冷却することができかつ小型化が可能になる。
【図面の簡単な説明】
【０００８】
【図１】本発明の実施形態に係る投写型表示装置の内部構造を示す斜視図である。
【図２】光源装置の斜視図である。
【図３】光源装置の分解斜視図である。
【図４】ランプの斜視図である。
【図５】流路を説明するための斜視図である。
【図６】送風機を除く光源装置の斜視図である。
【図７】図に示される光源装置の正面図である。
【図８】第２のダクト部材および送風機を除く光源装置２の正面図である。
【図９】流路の周辺を拡大した斜視図である。
【図１０】選択部材の斜視図である。
【図１１】選択部材の斜視図である。
【図１２】第１の姿勢にある光源装置の正面図である。
【図１３】第１の姿勢にある光源装置の正面図である。
【図１４】図１３に示されるＡ部の拡大図である。
【図１５】図１３に示されるＢ部の拡大図である。
【図１６】第１の姿勢にある光源装置における冷却風の流れを示す正面図である。
【図１７】第１の姿勢にある光源装置における冷却風の流れを示す斜視図である。
【図１８】第２の姿勢にある光源装置の正面図である。
【図１９】第２の姿勢にある光源装置の正面図である。
【図２０】図１９に示されるＡ部の拡大図である。
【図２１】図１９に示されるＢ部の拡大図である。
【図２２】第２の姿勢にある光源装置における冷却風の流れを示す正面図である。
【図２３】第２の姿勢にある光源装置における冷却風の流れを示す斜視図である。
【図２４】第３の姿勢にある光源装置の正面図である。
【図２５】第３の姿勢にある光源装置の正面図である。
【図２６】図２５に示されるＢ部の拡大図である。
【図２７】図２５に示されるＢ部の拡大図である。
【図２８】第３の姿勢にある光源装置における冷却風の流れを示す正面図である。
【図２９】第３の姿勢にある光源装置における冷却風の流れを示す斜視図である。
【図３０】第４の姿勢にある光源装置の正面図である。
【図３１】第４の姿勢にある光源装置の正面図である。
【図３２】図３１に示されるＢ部の拡大図であり、
【図３３】図３１に示されるＡ部の拡大図であり、
【図３４】第４の姿勢にある光源装置における冷却風の流れを示す正面図である。
【図３５】第４の姿勢にある光源装置における冷却風の流れを示す斜視図である。
【発明を実施するための形態】
【０００９】
次に、本発明の実施形態について、図面を参照して説明する。図１は本実施形態に係る投写型表示装置の内部構造を示す斜視図である。図１に示すように、投写型表示装置１は、光源装置２と、光学エンジン３と、投写レンズ４と、を備える。光源装置２から発せられた光は、光学エンジン３の内部の光学部品を経由して光学処理され、その後、投写レンズ４を介して投写される。なお、図１では、光源装置２は、投写型表示装置１の筐体５から取り外されている。
図２は光源装置２の斜視図であり、図３は光源装置２の分解斜視図である。図２および図３に示すように、光源装置２は、ランプ６と、ランプカバー７と、透光性部材８と、第１および第２のダクト部材９，１０と、を備える。図４は、ランプ６の斜視図である。図４に示すように、ランプ６は、発光管１１と、発光管１１を取り囲むリフレクタ１２と、を含む。
発光管１１は、略球状の発光部１３と、発光部１３から互いに逆向きに延びる棒状の封止部１４，１５と、対向する一対の電極（不図示）と、を有する。各電極の後端は封止部１４，１５によってそれぞれ保持され、各電極の先端は発光部１３内に配置されている。封止部１４，１５には、電極の後端に接続された箔状の導電部材（不図示）が封入されている。発光管１１は、無機材料を主成分とする接着剤によってリフレクタベース（不図示）に固定されている。
リフレクタ１２の反射面１２ａは楕円回転面形状を有する。発光部１３は、反射面１２ａの回転対称軸上にある第１焦点に配置されている。反射面１２ａは、発光部１３から発せられた光を回転対称軸上にある第２焦点に集光させる。リフレクタ１２には開口１６が形成されており、発光部１３から発せられた光は開口１６から出射する。
【００１０】
発光部１３内で発生するアークは、重力方向と逆方向に延びる。例えば、図４において紙面下向き（白抜き矢印方向）を重力方向とすると、アークは図４の紙面上向きに延びる。よって、発光部１３の紙面上方部（重力方向上部）の温度は、紙面下方部（重力方向下部）に比べて高くなる。以下の説明では、発光部１３の重力方向上部を「発光部上部」、発光部１３の重力方向下部を「発光部下部」と呼ぶ。換言すれば、発光部１３の鉛直方向上部を「発光部上部」、発光部１３の鉛直方向下部を「発光部下部」と呼ぶ。
発光部上部と発光部下部は、ランプ６の姿勢、すなわち光源装置２（図１参照）や投写型表示装置１（図１参照）の姿勢に応じて変化することに注意されたい。例えば、ある姿勢のときに発光部上部であった部分は、他の姿勢のときに発光部下部になることもある。また、ある姿勢のときに発光部上部であった部分は、他の姿勢のときには発光部上部でも発光部下部でもなくなることもある。
再び図２および図３を参照する。第１のダクト部材９はランプ６に取り付けられている。第１のダクト部材９には凹部が形成されている。第２のダクト部材１０は、第１のダクト部材９の凹部を覆うように第１のダクト部材９に取り付けられており、当該凹部の内側面とともに流路１７ａ，１７ｂを形成している。第１および第２のダクト部材９，１０は、耐熱性を有する材料（例えば、ＰＰＳ：Ｐｏｌｙ  Ｐｈｅｎｙｌｅｎｅ  Ｓｕｌｆｉｄｅ  Ｒｅｓｉｎ、ＬＣＰ：Ｌｉｑｕｉｄ  Ｃｒｙｓｔａｌ  Ｐｌａｓｔｉｃ）から形成されていることが好ましい。
流路１７ａ，１７ｂは、それぞれ、冷却風が流入する流入部１８ａ，１８ｂを含む。本実施形態では、第２のダクト部材１０に流入部１８ａ，１８ｂが形成されている。流入部１８ａには送風機１９ａが接続されており、流入部１８ｂには送風機１９ｂが接続されている。リフレクタの外側の気体が、送風機１９ａ，１９ｂを用いて冷却風として流路１７ａ，１７ｂに送られる。送風機１９ａ，１９ｂとして、シロッコファンまたは軸流ファンを用いることができる。
【００１１】
図５は、流路１７ａ，１７ｂを説明するための斜視図である。図５に示されるように、流路１７ａは、冷却風が流出する複数の流出部２０ａ，２０ｂを含み、流路１７ｂは、冷却風が流出する複数の流出部２０ｃ，２０ｄを含む。複数の流出部２０ａ，２０ｂ，２０ｃ，２０ｄは、リフレクタ１２の開口１６（図４参照）を通って発光部１３のそれぞれ異なる部位に冷却風を誘導する。本実施形態では、第１のダクト部材９に複数の流出部２０ａ，２０ｂ，２０ｃ，２０ｄが形成されている。
複数の流出部２０ａ，２０ｂ，２０ｃ，２０ｄは開口１６の周縁に沿って等間隔に配置されている。したがって、流出部２０ａ，２０ｂ，２０ｃ，２０ｄから発光部１３のそれぞれ異なる部位までの距離がほぼ等しく、経路の差に起因する冷却風の強さのバラツキが抑えられている。
また、流路１７ａ，１７ｂは、開口１６（図４参照）の周縁の一部にのみ設けられている。したがって、流路１７ａ，１７ｂとして用いるための空間が開口１６の周縁全体に必要とされず、光源装置２（図２および３参照）の小型化が可能になる。
【００１２】
図６は送風機１９ａ，１９ｂを除く光源装置２の斜視図であり、図７は図６に示される光源装置２の正面図である。図３、図６および図７に示すように、光源装置２は、複数の流出部２０ａ，２０ｂ，２０ｃ，２０ｄのうち所定の流出部を、冷却風が流出する冷却風流出部とする選択部材２１ａ，２１ｂをさらに備える。選択部材２１ａ，２１ｂは、自重で移動可能に設けられており、光源装置２（投写型表示装置１）の姿勢の変化に応じて移動する。
図８は、第２のダクト部材１０および送風機１９ａ，１９ｂを除く光源装置２の正面図である。図８に示すように、選択部材２１ａは流路１７ａの内部に配されており、選択部材２１ｂは流路１７ｂの内部に配されている。
図９は、流路１７ａの周辺を拡大した斜視図である。図１０および図１１は選択部材２１ａの斜視図である。なお、選択部材２１ｂは、選択部材２１ａと同じ構造を有するので、ここでは詳細を省略する。
図１０および図１１に示すように、選択部材２１ａは、風壁羽２２と、風壁羽２２から延びる風壁ウェイト２３と、突起部２４と、を含む。風壁羽２２は比較的高い耐熱性を有する材料（例えば、ＰＰＳ、ＬＣＰ）から形成されていることが好ましく、風壁ウェイト２３は比較的高い密度を有する材料から形成されていることが好ましい。
突起部２４は、選択部材２１ａの重心よりも風壁羽２２に近いところに位置している。風壁ウェイト２３が風壁羽２２および突起部２４よりも十分に重い場合、風壁ウェイト２３の重心を選択部材２１ａの重心とみなすことができる。
図８および図９に示されるように、流路１７ａの壁（本実施形態では、第１のダクト部材９）に長穴２５ａが形成されており、選択部材２１ａの突起部２４（図１０および図１１参照）が長穴２５ａに通されている。したがって、選択部材２１ａの長穴２５ａは突起部２４の移動を案内し、選択部材２１ａは長穴２５ａに沿って移動する。また、選択部材２１ａの重心が突起部２４よりも上方に位置する場合、選択部材２１ａには突起部２４を回転中心とするモーメントが作用する。
【００１３】
ここで、選択部材２１の動作を、図１２ないし図３５を用いて説明する。
図１２および図１３は、第１の姿勢にある光源装置２の正面図である。なお、図１２では送風機１９ａ，１９ｂが省略されており、図１３では第２のダクト部材１０および送風機１９ａ，１９ｂが省略されている。図１４は図１３に示されるＡ部の拡大図であり、図１５は図１３に示されるＢ部の拡大図である。図１６および図１７は、第１の姿勢にある光源装置２における冷却風の流れを示す正面図および斜視図である。なお、図１６および図１７では、第２のダクト部材１０および送風機１９ａ，１９ｂは省略されている。また、図１６では、流入口１８ａ，１８ｂが一点鎖線で示されており、リフレクタ１２の開口１６が破線で示されている。
【００１４】
図１２ないし図１７に示すように、「第１の姿勢」は、流出部２０ａ，２０ｄが鉛直方向Ｖに並び、流出部２０ｂ，２０ｃが水平方向Ｈに並び、流出部２０ａが流出部２０ｂよりも上方に位置し、流出部２０ｄが流出部２０ｃよりも下方に位置する姿勢である。なお、第１の姿勢は「０度姿勢」とも呼ばれ、投写型表示装置１（図１参照）が机等の上に置かれたときの光源装置２の姿勢であってもよい。
光源装置２が第１の姿勢にある場合、長穴２５ａは水平方向Ｈに対して傾斜している。したがって、選択部材２１ａは、自重により長穴２５ａに沿って下方に移動する。選択部材２１ａの風壁羽２２が第１のダクト部材９の壁部Ｐ１に接し、選択部材２１ａの風壁ウェイト２３が第１のダクト部材９の壁部Ｐ２に接したところで、選択部材２１ａは留まる。
このとき、選択部材２１ａの風壁羽２２は、流路１７ａを部分的に塞ぐ。具体的には、選択部材２１ａは、流入部１８ａから流出部２０ａへ向かう流れを遮り、流入部１８ａから流出部２０ｂへ冷却風を流通させている。したがって、流入部１８ａから流路１７ａに流入した冷却風Ｆ１は、流出部２０ｂから流出し、流出部２０ａから流出しない。言い換えれば、選択部材２１ａは、流出部２０ｂを、冷却風が流出する冷却風流出部とする。
また、光源装置２が第１の姿勢にある場合、長穴２５ｂは水平方向に対して傾斜している。したがって、選択部材２１ｂは、自重により長穴２５ｂに沿って下方に移動する。選択部材２１ａの風壁羽２２が第１のダクト部材９の壁部Ｐ３，Ｐ４に接したところで、選択部材２１ａは留まる。
このとき、選択部材２１ｂの風壁羽２２は、流路１７ｂを塞ぐ。具体的には、選択部材２１ｂは、流入部１８ｂから流出部２０ｃへ向かう流れと、流入部１８ｂから流出部２０ｄへ向かう流れと、の両方を遮る。したがって、流入部１８ｂから流路１７ｂに流入した冷却風Ｆ２は、流出部２０ｃからも流出部２０ｄからも流出しない。
【００１５】
流出部２０ｂは、光源装置２が第１の姿勢にある場合に、冷却風Ｆ１を発光部上部に誘導する。つまり、第１の姿勢では、冷却風は流出部２０ｂのみから流出し、発光部上部に誘導される。したがって、温度が上昇しやすい発光部上部が重点的に冷却され、発光部１３の全体の温度を均一に保つことが可能になる。
また、本実施形態では、流入部１８ｂに接続された送風機１９ｂ（図２および図３参照）を停止させることなく発光部上部にのみ冷却風を送ることができる。
さらに、選択部材２１ｂが流路１７ｂを塞ぐので、発光部１３を冷却した冷却風は、流出部２０ｃ，２０ｄを通って送風機１９ｂ（図２および図３参照）へ達しない。したがって、送風機１９ｂに仕様温度よりも高い温度の冷却風が流入することがなく、送風機１９ｂの故障を防ぐことが可能になる。
【００１６】
図１８および図１９は、第２の姿勢にある光源装置２の正面図である。なお、図１８では送風機１９ａ，１９ｂが省略されており、図１９では第２のダクト部材１０および送風機１９ａ，１９ｂが省略されている。図２０は図１９に示されるＡ部の拡大図であり、図２１は図１９に示されるＢ部の拡大図である。図２２および図２３は、第２の姿勢にある光源装置２における冷却風の流れを示す正面図および斜視図である。なお、図２２および図２３では、第２のダクト部材１０および送風機１９ａ，１９ｂは省略されている。
図１８ないし図２３に示すように、「第２の姿勢」は、流出部２０ａ，２０ｄが水平方向Ｈに並び、流出部２０ｂ，２０ｃが鉛直方向Ｖに並び、流出部２０ｂが流出部２０ａよりも上方に位置し、流出部２０ｃが流出部２０ｄよりも下方に位置する姿勢である。なお、第２の姿勢は「９０度姿勢」とも呼ばれ、投写型表示装置１（図１参照）が建物の壁等に固定されたときの光源装置２の姿勢であってもよい。
光源装置２が第２の姿勢にある場合、長穴２５ａは水平方向Ｈに対して傾斜している。したがって、選択部材２１ａは、自重により長穴２５ａに沿って下方に移動する。選択部材２１ａの風壁羽２２が第１のダクト部材９の壁部Ｐ５に接し、選択部材２１ａの風壁ウェイト２３が第１のダクト部材９の壁部Ｐ６に接したところで、選択部材２１ａは留まる。
このとき、選択部材２１ａの風壁羽２２は、流路１７ａを部分的に塞ぐ。具体的には、選択部材２１ａは、流入部１８ａから流出部２０ｂへ向かう流れを遮り、流入部１８ａから流出部２０ａへ冷却風を流通させている。したがって、流入部１８ａから流路１７ａに流入した冷却風Ｆ１は、流出部２０ａから流出し、流出部２０ｂから流出しない。言い換えれば、選択部材２１ａは、流出部２０ａを、冷却風が流出する冷却風流出部とする。
また、光源装置２が第２の姿勢にある場合、長穴２５ｂは水平方向Ｈに対して傾斜している。したがって、選択部材２１ｂは、自重により長穴２５ｂに沿って下方に移動する。選択部材２１ａの風壁羽２２が第１のダクト部材９の壁部Ｐ３，Ｐ４に接したところで、選択部材２１ａは留まる。
このとき、選択部材２１ｂの風壁羽２２は、流路１７ｂを塞ぐ。具体的には、選択部材２１ｂは、流入部１８ｂから流出部２０ｃへ向かう流れと、流入部１８ｂから流出部２０ｄへ向かう流れと、の両方を遮る。したがって、流入部１８ｂから流路１７ｂに流入した冷却風Ｆ２は、流出部２０ｃからも流出部２０ｄからも流出しない。言い換えれば、選択部材２１ｂは、第１の姿勢と第２の姿勢の両方において、流出部２０ｃ，２０ｄを冷却風流出部としない。
【００１７】
流出部２０ａは、光源装置２が第２の姿勢にある場合に、冷却風Ｆ１を発光部上部に誘導する。つまり、第２の姿勢では、冷却風は流出部２０ｂのみから流出し、発光部上部に誘導される。したがって、温度が上昇しやすい発光部上部が重点的に冷却され、発光部１３の全体の温度を均一に保つことが可能になる。
選択部材２１ａが光源装置２の姿勢に応じて流路１７ａを部分的に塞ぐので、選択部材２１ａの数を流出部２０ａ，２０ｂの数よりも少なくすることができる。
また、本実施形態では、流入部１８ｂに接続された送風機１９ｂ（図２および図３参照）を停止させることなく発光部上部にのみ冷却風を送ることができる。
さらに、選択部材２１ｂが流路１７ｂを塞ぐので、発光部１３を冷却した冷却風は、流出部２０ｃ，２０ｄを通って送風機１９ｂ（図２および図３参照）へ達しない。したがって、送風機１９ｂに仕様温度よりも高い温度の冷却風が流入することがなく、送風機１９ｂの故障を防ぐことが可能になる。
【００１８】
図２４および図２５は、第３の姿勢にある光源装置２の正面図である。なお、図２４では送風機１９ａ，１９ｂが省略されており、図２５では第２のダクト部材１０および送風機１９ａ，１９ｂが省略されている。図２６は図２５に示されるＢ部の拡大図であり、図２７は図２５に示されるＡ部の拡大図である。図２８および図２９は、第３の姿勢にある光源装置２における冷却風の流れを示す正面図および斜視図である。なお、図２８および図２９では、第２のダクト部材１０および送風機１９ａ，１９ｂは省略されている。
図２４ないし図２９に示すように、「第３の姿勢」は、流出部２０ｂ，２０ｃが水平方向Ｈに並び、流出部２０ｂ，２０ｄが鉛直方向Ｖに並び、流出部２０ａが流出部２０ｂよりも下方に位置し、流出部２０ｄが流出部２０ｃよりも上方に位置する姿勢をいう。なお、第３の姿勢は「１８０度姿勢」とも呼ばれ、投写型表示装置１（図１参照）が建物の天井等に固定されたときの光源装置２の姿勢であってもよい。
光源装置２が第３の姿勢にある場合、長穴２５ｂは水平方向Ｈに対して傾斜している。したがって、選択部材２１ｂは、自重により長穴２５ｂに沿って下方に移動する。選択部材２１ｂの風壁羽２２が第１のダクト部材９の壁部Ｐ４に接し、選択部材２１ｂの風壁ウェイト２３が第１のダクト部材９の壁部Ｐ７に接したところで、選択部材２１ｂは留まる。
このとき、選択部材２１ｂの風壁羽２２は、流路１７ｂを部分的に塞ぐ。具体的には、選択部材２１ｂは、流入部１８ｂから流出部２０ｄへ向かう流れを遮り、流入部１８ｂから流出部２０ｃへ冷却風を流通させている。したがって、流入部１８ｂから流路１７ｂに流入した冷却風Ｆ２は、流出部２０ｃから流出し、流出部２０ｄから流出しない。言い換えれば、選択部材２１ｂは、流出部２０ｃを、冷却風が流出する冷却風流出部とする。
また、光源装置２が第２の姿勢にある場合、長穴２５ａは水平方向Ｈに対して傾斜している。したがって、選択部材２１ａは、自重により長穴２５ａに沿って下方に移動する。選択部材２１ａの風壁羽２２が第１のダクト部材９の壁部Ｐ１，Ｐ５に接したところで、選択部材２１ａは留まる。
このとき、選択部材２１ａの風壁羽２２は流路１７ａを塞ぐ。具体的には、選択部材２１ａは、流入部１８ａから流出部２０ａへ向かう流れと、流入部１８ａから流出部２０ｂへ向かう流れと、の両方を遮る。したがって、流入部１８ａから流路１７ａに流入した冷却風Ｆ１は、流出部２０ａからも流出部２０ｂからも流出しない。
【００１９】
流出部２０ｃは、光源装置２が第３の姿勢にある場合に、冷却風Ｆ２を発光部上部に誘導する。つまり、第３の姿勢では、冷却風は流出部２０ｃのみから流出し、発光部上部に誘導される。したがって、温度が上昇しやすい発光部上部が重点的に冷却され、発光部１３の全体の温度を均一に保つことが可能になる。
また、本実施形態では、流入部１８ａに接続された送風機１９ａ（図２および図３参照）を停止させることなく発光部上部にのみ冷却風を送ることができる。
さらに、選択部材２１ａが流路１７ａを塞ぐので、発光部１３を冷却した冷却風は、流出部２０ａ，２０ｂを通って送風機１９ａ（図２および図３参照）へ達しない。したがって、送風機１９ａに仕様温度よりも高い温度の冷却風が流入することがなく、送風機１９ａの故障を防ぐことが可能になる。
【００２０】
図３０および図３１は、第４の姿勢にある光源装置２の正面図である。なお、図３０では送風機１９ａ，１９ｂが省略されており、図３１では第２のダクト部材１０および送風機１９ａ，１９ｂが省略されている。図３２は図３１に示されるＢ部の拡大図であり、図３３は図３１に示されるＡ部の拡大図である。図３４および図３５は、第４の姿勢にある光源装置２における冷却風の流れを示す正面図および斜視図である。なお、図３４および図３５では、第２のダクト部材１０および送風機１９ａ，１９ｂは省略されている。
図３０ないし図３５に示すように、「第４の姿勢」は、流出部２０ａ，２０ｄが水平方向Ｈに並び、流出部２０ｂ，２０ｃが鉛直方向Ｖに並び、流出部２０ｂが流出部２０ａよりも下方に位置し、流出部２０ｃが流出部２０ｄよりも上方に位置する姿勢をいう。なお、第２の姿勢は「２７０度姿勢」とも呼ばれ、投写型表示装置１（図１参照）が建物の壁等に固定されたときの光源装置２の姿勢であってもよい。
光源装置２が第４の姿勢にある場合、長穴２５ｂは水平方向Ｈに対して傾斜している。したがって、選択部材２１ｂは、自重により長穴２５ｂに沿って下方に移動する。選択部材２１ｂの風壁羽２２が第１のダクト部材９の壁部Ｐ３に接し、選択部材２１ａの風壁ウェイト２３が第１のダクト部材９の壁部Ｐ８に接したところで、選択部材２１ａは留まる。
このとき、選択部材２１ｂの風壁羽２２は、流路１７ｂを部分的に塞ぐ。具体的には、選択部材２１ｂは、流入部１８ｂから流出部２０ｃへ向かう流れを遮り、流入部１８ｂから流出部２０ｄへ向かう流れを流通させている。したがって、流入部１８ｂから流路１７ｂに流入した冷却風Ｆ２は、流出部２０ｄから流出し、流出部２０ｃから流出しない。言い換えれば、選択部材２１ｂは、流出部２０ｄを、冷却風が流出する冷却風流出部とする。
また、光源装置２が第４の姿勢にある場合、長穴２５ａは水平方向Ｈに対して傾斜している。したがって、選択部材２１ａは、自重により長穴２５ａに沿って下方に移動する。選択部材２１ａの風壁羽２２が第１のダクト部材９の壁部Ｐ１，Ｐ５に接したところで、選択部材２１ａは留まる。
このとき、選択部材２１ａの風壁羽２２は、流路１７ａを塞ぐ。具体的には、選択部材２１ａは、流入部１８ａから流出部２０ａへ向かう流れと、流入部１８ａから流出部２０ｂへ向かう流れと、の両方を遮る。したがって、流入部１８ａから流路１７ａに流入した冷却風Ｆ１は、流出部２０ａからも流出部２０ｂからも流出しない。言い換えれば、選択部材２１ｂは、第３の姿勢と第４の姿勢の両方において、冷却風Ｆ１を流出部２０ａ，２０ｂから流出させない。言い換えれば、選択部材２１ａは、第３の姿勢と第４の姿勢の両方において、流出部２０ａ，２０ｂを冷却風流出部としない。
【００２１】
流出部２０ｄは、光源装置２が第４の姿勢にある場合に、冷却風Ｆ２を発光部上部に誘導する。つまり、第４の姿勢では、冷却風は流出部２０ｄのみから流出し、発光部上部に誘導される。したがって、温度が上昇しやすい発光部上部が重点的に冷却され、発光部１３の全体の温度を均一に保つことが可能になる。
また、本実施形態では、流入部１８ａに接続された送風機１９ａ（図２および図３参照）を停止させることなく発光部上部にのみ冷却風を送ることができる。
さらに、選択部材２１ａが流路１７ａを塞ぐので、発光部１３を冷却した冷却風は、流出部２０ａ，２０ｂを通って送風機１９ａ（図２および図３参照）へ達しない。したがって、送風機１９ａに仕様温度よりも高い温度の冷却風が流入することがなく、送風機１９ａの故障を防ぐことが可能になる。
【００２２】
なお、本実施形態では、第１および第２のダクト部材９，１０が２つの流路１７ａ，１７ｂを形成しているが、本発明はこの形態に限られない。流路の数は１つであってもよいし、３つ以上であってもよい。
また、本実施形態では、送風機１９ａ，１９ｂが、それぞれ、流入部１８ａ，１８ｂに接続されているが、本発明はこの形態に限られない。１つの送風機が分岐路を介して流入部１８ａ，１８ｂに接続されていてもよい。
以上、実施形態を参照して本発明を説明したが、本発明は上記実施形態に限定されるものではない。本発明の構成や詳細には、本発明の範囲内で当業者が理解し得る様々な変更をすることができる。
【符号の説明】
【００２３】
１    投写型表示装置
２    光学装置
３    光学エンジン
４    投写レンズ
５    筐体
６    ランプ
７    ランプカバー
８    透光性部材
９    第１のダクト部材
１０    第２のダクト部材
１１    発光管
１２    リフレクタ
１３    発光部
１４    封止部
１５    封止部
１６    開口
１７ａ，１７ｂ    流路
１８ａ，１８ｂ    流入部
１９ａ，１９ｂ    送風機
２０ａ，２０ｂ，２０ｃ．２０ｄ    流出部
２１ａ，２０ｂ    選択部材
２２    風壁羽
２３    風壁ウェイト
２４    突起部
２５ａ，２５ｂ    長穴
【図１】
2016109801.tif 000003
【図２】
2016109801.tif 000004
【図３】
2016109801.tif 000005
【図４】
2016109801.tif 000006
【図５】
2016109801.tif 000007
【図６】
2016109801.tif 000008
【図７】
2016109801.tif 000009
【図８】
2016109801.tif 000010
【図９】
2016109801.tif 000011
【図１０】
2016109801.tif 000012
【図１１】
2016109801.tif 000013
【図１２】
2016109801.tif 000014
【図１３】
2016109801.tif 000015
【図１４】
2016109801.tif 000016
【図１５】
2016109801.tif 000017
【図１６】
2016109801.tif 000018
【図１７】
2016109801.tif 000019
【図１８】
2016109801.tif 000020
【図１９】
2016109801.tif 000021
【図２０】
2016109801.tif 000022
【図２１】
2016109801.tif 000023
【図２２】
2016109801.tif 000024
【図２３】
2016109801.tif 000025
【図２４】
2016109801.tif 000026
【図２５】
2016109801.tif 000027
【図２６】
2016109801.tif 000028
【図２７】
2016109801.tif 000029
【図２８】
2016109801.tif 000030
【図２９】
2016109801.tif 000031
【図３０】
2016109801.tif 000032
【図３１】
2016109801.tif 000033
【図３２】
2016109801.tif 000034
【図３３】
2016109801.tif 000035
【図３４】
2016109801.tif 000036
【図３５】
2016109801.tif 000037